(57)【要約】【課題】振り下ろす力が弱くても土への打ち込み力が大きくなり、雑草の抜き取り、エアレーションの穴空け、草取り後の土の凹凸の転圧等の作業も同じ器具で行える庭の手入れ用具を提供する。【解決手段】手で握ることのできる把手１と、把手１に基端が固定され、先端に斜めにカットされた刃部３ａを持つ直線状の軸部３を有する棒状工具本体２とを備え、直線状の軸部３の向きは、把手１の長手方向と略直交する方向であり、かつ、軸部３の長手方向の中間部には、丸棒状のウエイト部４が設けられた庭の手入れ用具。棒状工具本体２は一本の鋼製の丸棒を曲げて構成されており、基部５の先端と基端との間は、軸部３の長手方向と直交する平面内で傾斜している。【選択図】  図１
0003180165.tif 000002
【実用新案登録請求の範囲】
【請求項１】
手で握ることのできる把手と、
前記把手に基端が固定され、先端が打ち込み部である直線状の軸部を有する棒状工具本体とを備え、
前記直線状の軸部の向きは、前記把手の長手方向と略直交する方向であり、かつ、前記軸部の長手方向の中間部には、丸棒状のウエイト部が設けられていることを特徴とする庭の手入れ用具。
【請求項２】
前記棒状工具本体は、一本の棒状体が、前記把手に基端が固定される基部が前記把手の長手方向に沿って延び、基部の先端から前記軸部の先端の打ち込み部の方向とは反対方向に曲がって延び、さらに曲がり方向が反転して前記軸部に連設する形状を有している請求項１記載の庭の手入れ用具。
【請求項３】
前記棒状工具本体の前記基部の先端と基端との間は、前記軸部の長手方向と直交する平面内で傾斜していることを特徴とする請求項１または２に記載の庭の手入れ用具。
【考案の詳細な説明】
【技術分野】
【０００１】
本考案は、庭の雑草を抜いたり、芝生等の土にエアレーションしたり、庭土の凹凸を均して面直しするために便利な、庭の手入れ用具に関する。
【背景技術】
【０００２】
庭に芝生を植えている家では、水やりや肥料散布のほかに、雑草を抜いたり、芝生が植えられている土に穴を空けて芝生の根に酸素を与えるエアレーション等の手入れ作業が必要である。
【０００３】
このような手入れ作業に用いる器具として、例えば特許文献１には、柄に対してＬ字形に取り付けられ、先端にいくにしたがって逐次細くなってとがっている刃先をもつ草根かきが開示されている。
【０００４】
特許文献２には、柄の先端に適宜形状の刃部を設け、後端に取手を設けた除草具であって、適宜形状の刃部への柄の先端の取付位置が刃部の長さ方向の端部であり、かつ適宜形状の刃部の刃先とは反対側に、手を添えて持てるようにした丸棒状の厚肉部を形成した除草具が開示されている。
【先行技術文献】
【特許文献】
【０００５】
【特許文献１】実開平６−５０４０２号公報
【特許文献２】特開２００９−４５０４６号公報
【考案の概要】
【考案が解決しようとする課題】
【０００６】
前述の特許文献１，２に開示された除草具では、柄や把手を手で握って雑草の根の近くを刃先で突き刺すように振り下ろし、地中の根をかき上げたり切ったりして雑草を抜きやすくして除草するのであるが、特許文献１の草根かきでは、刃先が軽いため、土に打ち込むときに強い力が要り、長時間の作業では疲れる。
【０００７】
特許文献２の除草具では、刃部の長さが長いため、雑草以外の芝生の根も切断される恐れがあり、またエアレーションの穴を空けるには不向きである。
【０００８】
さらに、草取り後に空いた穴や雑草の根に付いていた土を落とした後に生じる土の凹凸を均すのに、シャベル等の別の器具を用いる必要があり、不便であった。
【０００９】
そこで本考案は、振り下ろす力が弱くても土への打ち込み力が大きくなり、雑草の根切り、エアレーションの穴空け、草取り後の土の凹凸の転圧等の作業も同じ器具で行える庭の手入れ用具を提供することを目的とする。
【課題を解決するための手段】
【００１０】
前記課題を解決するため、本考案の庭の手入れ用具は、手で握ることのできる把手と、前記把手に基端が固定され、先端が打ち込み部である直線状の軸部を有する棒状工具本体とを備え、前記直線状の軸部の向きは、前記把手の長手方向と略直交する方向であり、かつ、前記軸部の長手方向の中間部には、丸棒状のウエイト部が設けられていることを特徴とする。
【００１１】
本考案においては、棒状工具本体が把手に固定されており、棒状工具本体の先端の軸部に丸棒状のウエイト部が設けられているので、把手を握って土に向けて振り下ろすと、ウエイト部の慣性が働いて、棒状工具本体の軸部先端の打ち込み部が土の中に強く打ち込まれる。これによりエアレーションの穴が空く。また、雑草の根の回りを何度か打ち込むことにより雑草の根の回りの土がほぐれて、雑草を根こそぎ引き抜くことがたやすくなる。また、ウエイト部が丸棒状であるので、ウエイト部で土の表面を転圧することで凹凸面の面直しができる。
【００１２】
前記棒状工具本体は、一本の棒状体が、前記把手に基端が固定される基部が前記把手の長手方向に沿って延び、基部の先端から前記軸部の先端の打ち込み部の方向とは反対方向に曲がって延び、さらに曲がり方向が反転して前記軸部に連設する形状を有していることを特徴とする。このように、一本の棒状体を曲げて棒状工具本体を形成することにより、容易に製造でき、コストも掛からない。
【００１３】
前記棒状工具本体の前記基部の先端と基端との間は、前記軸部の長手方向と直交する平面内で傾斜していることを特徴とする。これにより、ウエイト部で土の表面を転圧するときに、把手が地面より浮くので、転圧作業がしやすくなる。
【考案の効果】
【００１４】
本考案の庭の手入れ用具によれば、手で握ることのできる把手と、前記把手に基端が固定され、先端が打ち込み部である直線状の軸部を有する棒状工具本体とを備え、前記直線状の軸部の向きは、前記把手の長手方向と略直交する方向であり、かつ、前記軸部の長手方向の中間部には、丸棒状のウエイト部が設けられていることにより、振り下ろす力が弱くても土への打ち込み力が大きくなり、雑草の抜き取り、エアレーションの穴空け、草取り後の土の凹凸の転圧等の作業も同じ器具で行うことができる。
【図面の簡単な説明】
【００１５】
【図１】本考案の実施の形態に係る庭の手入れ用具の側面図である。
【図２】本考案の実施の形態に係る庭の手入れ用具の正面図である。
【図３】本考案の実施の形態に係る庭の手入れ用具を用いて作業をしている状態を示す側面図である。
【図４】本考案の実施の形態に係る庭の手入れ用具を用いて土の転圧作業をしている状態を示す側面図である。
【考案を実施するための形態】
【００１６】
以下、本考案の実施の形態を、図面を参照しながら具体的に説明する。
本考案の実施の形態に係る庭の手入れ用具（以下単に「手入れ用具」ということがある。）は、図１および図２に示すように、手で握ることのできる把手１と、把手１に基端が固定され、先端に斜めにカットされた刃部３ａを持つ直線状の軸部３を有する棒状工具本体２とを備え、直線状の軸部３の向きは、把手１の長手方向と略直交する方向であり、かつ、軸部３の長手方向の中間部には、丸棒状のウエイト部４が設けられている。
【００１７】
なお、軸部３の先端は、斜めにカットされた刃部３ａではなく、軸部３と直交するようにカットした形状、あるいは半球状に丸めても、打ち込み部としての機能を果たす。
【００１８】
把手１は、木製、プラスチック製とし、手袋をした手で握って作業をしても滑らないように、表面に凹凸を設けている。
【００１９】
棒状工具本体２は、軸部３の先端の刃部３ａの部分は焼き入れをして強度を高くしている。ウエイト部４は、本例では軸部３に溶接で固着されているが、バンドやねじで固定することもでき、また着脱可能とすることもできる。
【００２０】
棒状工具本体２は、一本の棒状体、本例では鉄製の丸棒が、把手１に基端が固定される基部５が把手１の長手方向に沿って延び、基部５の先端から軸部３の先端の刃部３ａの方向とは反対方向に曲がって延びる折曲部６を有し、さらに折曲部６の先端より曲がり方向が反転して軸部３に連設する形状を有している。このように、一本の棒状体を曲げて棒状工具本体２を形成することにより、容易に製造でき、コストも掛からない。
【００２１】
さらに、図２に示すように、棒状工具本体２の基部５の先端と基端との間は、軸部３の長手方向と直交する平面内で傾斜している。その傾斜角αは、１５°〜２５°程度とし、ウエイト部４で土の表面を転圧するときに、把手１が地面より浮くので、転圧作業がしやすくなる。
【００２２】
以上の構成の手入れ用具を用いて雑草の根切りまたは芝生の地盤のエアレーションをしている状態を図３に示す。このように、把手１を握って強く振り下ろすことにより、軸部３の先端の刃部３ａが地中に打ち込まれる。このとき、ウエイト部４の慣性が働くので、ウエイト部４を設けないで棒状工具本体２のみで打ち込む場合に比べ、強い力が刃部３ａに掛かり、深くまで刃部３ａを打ち込むことができる。これによりエアレーションの穴が空く。また、雑草の根の回りを何度か打ち込むことにより雑草の根の回りの土がほぐれて、雑草を根こそぎ引き抜きやすくなる。植物には、地上に出ている部分を抜いても根が地中に残っておればそこから再生するものもあるが、根こそぎ抜くことにより、雑草の除去が効率的に行える。
【００２３】
図４は、本考案の手入れ用具を用いて地面の面直しをしている状態を示している。ウエイト部４の周側面の丸い部分で地表を転圧することにより、草取り後に空いた穴や雑草の根に付いていた土を落とした後に生じる土の凹凸を均す。この時、基部５には基端と先端との間が傾斜しているため、把手１が地表よりも浮いた状態となり、把手１を握っている手が地面に触れることがなく、転圧作業がしやすい。
【００２４】
このように、本実施の形態によれば、軸部３の長手方向の中間部に、丸棒状のウエイト部４が設けられていることにより、振り下ろす力が弱くても土への打ち込み力が大きくなり、雑草の根こそぎの抜き取り、エアレーションの穴空け、草取り後の土の凹凸の転圧等の作業も同じ器具で行うことができる。また、基部５の基端と先端との間が傾斜していることにより、転圧作業がしやすい。
【産業上の利用可能性】
【００２５】
本考案は、振り下ろす力が弱くても土への打ち込み力が大きくなり、雑草の抜き取り、エアレーションの穴空け、草取り後の土の凹凸の転圧等の作業も同じ器具で行える庭の手入れ用具として、好適に利用することができる。
【符号の説明】
【００２６】
１  把手
２  棒状工具本体
３  軸部
３ａ  刃部
４  ウエイト部
５  基部
６  反転部
【図１】
0003180165.tif 000003
【図２】
0003180165.tif 000004
【図３】
0003180165.tif 000005
【図４】
0003180165.tif 000006